(57)【特許請求の範囲】
【請求項１】
電源に順方向接続した赤外線発光ダイオードに、スイッチング回路第１トランジスタを接続し、ベースにパルス信号出力端子を接続したリモコン送信機の赤外線発光ダイオード駆動回路において、赤外線発光ダイオードに、第２トランジスタを並列接続し、第１トランジスタのベースに赤外ＬＥＤが発光するためのパルス信号が出力されない状態では、第２トランジスタを動作状態に保持し、第１トランジスタのベースに赤外ＬＥＤが発光するためのパルス信号が出力する時には、第２トランジスタを非動作状態にすることで赤外ＬＥＤの連続照射トラブルを防止したことを特徴とするリモコン送信機用赤外線発光ダイオード駆動回路。
【発明の詳細な説明】
【０００１】
【発明の属する技術分野】
本発明は、テレビ受像機、エアコン等の空調機、オーディオ機器等の各種電気機器の遠隔操作に用いられるリモコン送信機の赤外線発光ダイオードの駆動回路に関する。
【０００２】
【従来の技術】
上記各種電気機器の遠隔操作に用いられるリモコン送信機は、手元のキーパッドを操作してその釦に対応した送信データで変調されたパルス信号で赤外線発光ダイオード（以下、赤外ＬＥＤと略す）を発光させる。
一方、受信電気機器側では、フォトダイオード等から構成されるセンサにて、上記赤外線信号を受信して動作することになる。
【０００３】
上記リモコン送信機に用いられる従来の赤外ＬＥＤ駆動回路は、図２に示すようなものである。
電池１０２の陰極がＧＮＤ１０１に接地され、電池の陽極が所定の抵抗器１０３と直列に介して赤外ＬＥＤ１０４のアノードに接続されている。
上記赤外ＬＥＤ１０４のカソードが、トランジスタ１０５のコレクタに接続され、エミッタ側がＧＮＤ１０１に接地されている。
トランジスタ１０５のベースが必要に応じて抵抗器１０６を介して、ＩＣのパルス信号出力端子１０９に接続されている。
このパルス信号に従って赤外ＬＥＤ１０４が発光する。
なお、１０８は操作釦を示す。
【０００４】
しかし、このような回路では、トランジスタ１０５にエミッタ／コレクタ間短絡等の故障が発生した場合や、送信パルス信号を出力する端子（ＣＡＡＲ）１０９が故障して常時Ｈレベルとなった場合には、赤外ＬＥＤに電流が流れ続け、連続的に強大な発光赤外線放射状態になってしまうという技術的課題があった。
最近では、強大出力赤外線の目への誤照射も問題視されつつある。
【０００５】
そこで、そのような問題を回避するために、例えば、図３に示すような保護回路が提案されている。
１つのトランジスタ１１０が故障しても、赤外ＬＥＤ１０４が連続放射しないように直列的に別のトランジスタ１２０を設け、さらに、パルス信号出力端子（ＣＡＲＲ）１０９が故障して常時Ｈレベルになった場合にも、トランジスタ１１０、１２０のベース電流が増大しないように直流カットコンデンサ１１１、１２１を設けるとともに、逆起電力保護ダイオード１１２、１２２を設けたものである。
【０００６】
ところが、このような保護回路では追加部品点数が多くなるばかりでなく、新たにトランジスタを直列的に追加したので、余剰的なコレクタ／エミッタ間電圧が発生し、その分赤外ＬＥＤ電流の低下を招いたり、リモコン送信動作時にはパルス信号波形が直流カットコンデンサ１１１、１２１を通過するものの、このコンデンサの充放電による影響を受け、パルス信号波形がなまる（ひずむ）問題があった。
【０００７】
【発明が解決しようとする課題】
本発明は、上記従来技術に内在する技術的課題に鑑みて、リモコン送信機の赤外ＬＥＤの駆動回路にて、その構成される能動素子のいずれかに単一故障モード（同時には１ヶ所のみ故障）が発生した場合に、赤外ＬＥＤ発光出力が強大な状態で連続放射されないような簡単な構造で安定した駆動回路の提供を目的とする。
【０００８】
【課題を解決するための手段】
本発明は、赤外ＬＥＤに並列的にトランジスタを設けたもので、電源に順方向接続した赤外線発光ダイオードに、スイッチング回路第１トランジスタを接続し、ベースにパルス信号出力端子を接続したリモコン送信機の赤外線発光ダイオード駆動回路において、赤外線発光ダイオードに、第２ＮＰＮ型トランジスタをアノード−コレクタ，カソード−エミッタ接続した赤外ＬＥＤ発光駆動回路とした。
【０００９】
ここで、「赤外線発光ダイオードに第２ＮＰＮ型トランジスタをアノード−コレクタ，カソード−エミッタ接続した」とは、スイッチング回路第１トランジスタの故障により、誤って赤外ＬＥＤに発光電流が流れようとした場合に、その電流を第２トランジスタ回路を通して流すことにより、赤外ＬＥＤが発光しないようにすることが目的である。
従って、ベース電圧がＬレベルで動作するように、ＰＮＰ型トランジスタを用いて回路設計してもよい。
【００１０】
本発明は、リモコン送信機において、正規のパルス出力信号が送信されない場合、即ち、リモコン送信機の待機時やリモコン送信パルス信号出力動作時以外の場合には、第２トランジスタベース電圧をＨレベルにして、いつでも動作可能な状態にしたものである。
従って本発明は、第１トランジスタのベースに赤外ＬＥＤが発光するためのパルス信号が出力されない状態では、第２トランジスタを動作状態に保持し、第１トランジスタのベースに赤外ＬＥＤが発光するためのパルス信号が出力する時には、第２トランジスタを非動作状態にすることで赤外ＬＥＤの連続照射トラブルを防止した点に特徴がある。
【００１１】
【発明の実施の形態】
本発明による望ましい駆動回路例を図１に基づいて以下説明する。
電源（電池）２の陰極がＧＮＤ１接地され、陽極に所定の抵抗器３を介して赤外ＬＥＤ４が順方向接続されている。
赤外ＬＥＤのカソードには、第１トランジスタ５のコレクタが接続され、エミッタがＧＮＤ１接地されている。
第１トランジスタ５のベースは、所定の抵抗器６を介してＩＣのパルス信号出力端子（ＣＡＲＲ）９に接続されている。
一方、赤外ＬＥＤ４には、第２ＮＰＮ型トランジスタがアノード−コレクタ，カソード−エミッタ接続され、このベースがＩＣのＣＡＲＲ端子９以外の端子「図１の例では操作釦８を介してＤ０ポート」に接続され、パルス信号が出力操作されない状態ではＨレベルになっている。
【００１２】
赤外ＬＥＤの発光駆動回路をこのように構成したので次のように作用する。
第１トランジスタ５がエミッタ／コレクタ間の故障等により、短絡モード故障した場合には、電池電流が第２トランジスタ７を経由して流れるので、赤外ＬＥＤのアノード−カソード間の印加電圧が順方向電圧を下回ることになり、結果として赤外ＬＥＤ４が発光しない。
【００１３】
また、パルス信号出力端子（ＣＡＲＲ）９が故障し、常時Ｈレベルになり第１トランジスタ５のベース電圧が増大し、第１トランジスタ５が常時作動状態になった場合には、第２トランジスタ７がパルス信号出力時以外は動作可能状態になっているので、この第２トランジスタ７を通して電流が流れ、赤外ＬＥＤ４は発光しない。
【００１４】
ここで、リモコン送信機がパルス信号出力により、通常送信をする為に操作釦８を押釦すると第２トランジスタを開放、あるいは、ベース電圧をＬレベルにして動作しないようにする。
すると、第１トランジスタ５のベースに印加されるパルス信号に従って赤外ＬＥＤが発光する。
【００１５】
なお、本発明に係る赤外線発光ダイオード駆動回路は、パルス信号等により赤外線を発光させ、赤外線通信に使用するものであれば上記リモコン送信機以外にも応用展開が可能である。
例えば、電子手帳や携帯端末、さらにはコードレスヘッドホンやＡＶ機器同士の赤外線通信が上げられる。
【００１６】
【発明の効果】
本発明においては、赤外ＬＥＤに第２トランジスタのコレクタ／エミッタ接続を並列的に配置し、パルス信号出力時以外は動作可能状態に保持したので、スイッチング回路のトランジスタが短絡故障してもＩＣの出力端子が故障して連続赤外ＬＥＤ発光信号高出力モードになっても赤外ＬＥＤの連続照射トラブルを防止することができる。
【００１７】
また、附随的に、第１トランジスタが開放モードで故障した場合、第２トランジスタが開放モードあるいは短絡モードで故障した場合、ＣＡＲＲ端子が開放モードで故障した場合、赤外ＬＥＤが短絡モードあるいは開放モードで故障した場合のいずれの場合でも、単一故障モードであれば赤外ＬＥＤが連続放射されることはない。
【００１８】
図２に示したような従来の保護回路に比較して部品点数が少なく、パルス波形のひずみも生じることなく、簡単な構造で安定した赤外ＬＥＤの発光駆動回路となる。
【図面の簡単な説明】
【図１】本発明に係る赤外ＬＥＤ発光駆動回路の例を示す。
【図２】従来の保護回路例を示す。
【図３】従来の赤外ＬＥＤ発光駆動回路の例を示す。
【符号の説明】
１    ＧＮＤ（接地）
２    電源（電池）
３    抵抗器
４    赤外ＬＥＤ
５    第１トランジスタ
６    抵抗器
７    第２トランジスタ
８    操作釦
９    パルス信号出力端子
【図１】
0003639818.tif 000002
【図２】
0003639818.tif 000003
【図３】
0003639818.tif 000004